(57)【要約】【課題】  利用者が意図していないガス抜きが行われることを防止することができる噴射装置を提供する。【解決手段】  噴射装置３０は、エアゾール容器２０の内容物の噴射を行うためのノズル４３と、ノズル４３に噴射を行わせるための噴射ボタン４５と、噴射ボタン４５を覆うキャップ５０と、キャップ５０を回転可能に支持する基部４０と、基部４０に対するキャップ５０の回転の規制を行う回転規制タブ５６とを備え、キャップ５０は、基部４０に対するキャップ５０の回転位置が噴射許可位置のときに押されることによって噴射ボタン４５を押すキャップ側ボタン５３と、基部４０に対するキャップ５０の回転位置がガス抜き位置のときに噴射ボタン４５を押し続けるガス抜きタブ５５とを有し、回転規制タブ５６は、回転位置がガス抜き位置になることを前記規制によって妨げており、前記規制が解除される状態になるようにキャップ５０に切り離し可能に設けられている。【選択図】  図２
2010189024.tif 000002
【特許請求の範囲】
【請求項１】
エアゾール容器の内容物の噴射を行うためのノズルと、押されることによって前記ノズルに前記噴射を行わせるための噴射ボタンと、前記噴射ボタンを覆うキャップと、前記キャップを回転可能に支持する支持部材と、前記支持部材に対する前記キャップの回転の規制を行う回転規制部材とを備え、
前記支持部材に対する前記キャップの回転位置は、前記噴射が許可される噴射許可位置と、前記エアゾール容器のガス抜きのためのガス抜き位置とを含み、
前記キャップは、前記回転位置が前記噴射許可位置のときに押されることによって前記噴射ボタンを押すキャップ側ボタンと、前記回転位置が前記ガス抜き位置のときに前記噴射ボタンを押し続けるガス抜き部材とを有し、
前記回転規制部材は、前記回転位置が前記ガス抜き位置になることを前記規制によって妨げており、前記規制が解除される状態へ変形可能に前記キャップおよび前記支持部材の少なくとも一方に設けられていることを特徴とする噴射装置。
【請求項２】
前記変形は、切り離しであることを特徴とする請求項１に記載の噴射装置。
【請求項３】
前記回転位置は、前記噴射が禁止される噴射禁止位置を含み、
前記回転規制部材は、前記噴射許可位置および前記噴射禁止位置の位置決めを行う部材であることを特徴とする請求項１または請求項２に記載の噴射装置。
【請求項４】
前記キャップは、前記回転位置が前記ガス抜き位置のときに前記ノズルの噴射口に対向する噴射口対向壁部を有していることを特徴する請求項１から請求項３までの何れかに記載の噴射装置。
【請求項５】
請求項１から請求項４までの何れかに記載の噴射装置と、前記噴射装置が取り付けられたエアゾール容器とを備えていることを特徴とするエアゾール式製品。
【発明の詳細な説明】
【技術分野】
【０００１】
本発明は、エアゾール容器の内容物の噴射を行うための噴射装置およびこれを備えたエアゾール式製品に関する。
【背景技術】
【０００２】
従来、エアゾール容器のガス抜きのための機構を備えた噴射装置として、エアゾール容器と噴射ヘッド本体間の回転操作のみで連続噴射可能状態となり、噴射ヘッド本体の押し下げ操作で連続噴射が開始されるものが知られている（例えば、特許文献１参照。）。この連続噴射によって、エアゾール容器のガス抜きが行われる。
【先行技術文献】
【特許文献】
【０００３】
【特許文献１】特開２００２−３０２１７５号公報
【発明の概要】
【発明が解決しようとする課題】
【０００４】
しかしながら、従来の噴射装置は、回転操作や押し下げ操作といった一般的な操作のみでガス抜きが開始されるので、利用者の誤操作により利用者が意図していないガス抜きが行われる可能性がある。
【０００５】
そこで、本発明は、利用者が意図していないガス抜きが行われることを防止することができる噴射装置を提供することを目的とする。
【課題を解決するための手段】
【０００６】
本発明の噴射装置は、エアゾール容器の内容物の噴射を行うためのノズルと、押されることによって前記ノズルに前記噴射を行わせるための噴射ボタンと、前記噴射ボタンを覆うキャップと、前記キャップを回転可能に支持する支持部材と、前記支持部材に対する前記キャップの回転の規制を行う回転規制部材とを備え、前記支持部材に対する前記キャップの回転位置は、前記噴射が許可される噴射許可位置と、前記エアゾール容器のガス抜きのためのガス抜き位置とを含み、前記キャップは、前記回転位置が前記噴射許可位置のときに押されることによって前記噴射ボタンを押すキャップ側ボタンと、前記回転位置が前記ガス抜き位置のときに前記噴射ボタンを押し続けるガス抜き部材とを有し、前記回転規制部材は、前記回転位置が前記ガス抜き位置になることを前記規制によって妨げており、前記規制が解除される状態へ変形可能に前記キャップおよび前記支持部材の少なくとも一方に設けられていることを特徴とする。
【０００７】
この構成により、本発明の噴射装置は、支持部材に対するキャップの回転位置がガス抜き位置になるためには、支持部材に対するキャップの回転の規制が解除される状態へ回転規制部材が変形させられなければならない。したがって、本発明の噴射装置は、利用者の誤操作により利用者が意図していないガス抜きが行われることを防止することができる。
【０００８】
本発明の噴射装置の前記変形は、切り離しであることが好ましい。
【０００９】
この構成により、本発明の噴射装置は、支持部材に対するキャップの回転位置がガス抜き位置になるためには、回転規制部材が切り離されなければならない。したがって、本発明の噴射装置は、利用者の誤操作により利用者が意図していないガス抜きが行われることを防止することができる。
【００１０】
本発明の噴射装置の前記回転位置は、前記噴射が禁止される噴射禁止位置を含み、前記回転規制部材は、前記噴射許可位置および前記噴射禁止位置の位置決めを行う部材であることが好ましい。
【００１１】
この構成により、本発明の噴射装置の回転規制部材は、支持部材に対するキャップの回転位置がガス抜き位置になることを許可する機能に加えて、支持部材に対するキャップの回転位置が噴射許可位置および噴射禁止位置に切り替えられる際の位置決めの機能も有する。したがって、本発明の噴射装置は、これらの機能を別々の部材で実現する場合と比較して、構成を簡略化することができる。
【００１２】
本発明の噴射装置の前記キャップは、前記回転位置が前記ガス抜き位置のときに前記ノズルの噴射口に対向する噴射口対向壁部を有していることが好ましい。
【００１３】
この構成により、本発明の噴射装置は、エアゾール容器のガス抜きの際にノズルの噴射口から噴射されるガスが噴射口対向壁部に当たって拡散する。したがって、本発明の噴射装置は、エアゾール容器のガス抜きの際にガスが噴射装置外に強い勢いで噴射されることを防止することができる。
【００１４】
本発明のエアゾール式製品は、本発明の噴射装置と、前記噴射装置が取り付けられたエアゾール容器とを備えていることを特徴とする。
【発明の効果】
【００１５】
本発明の噴射装置は、利用者が意図していないガス抜きが行われることを防止することができる。
【図面の簡単な説明】
【００１６】
【図１】本発明の第１の実施の形態に係るエアゾール式製品の側面図である。
【図２】基部に対するキャップの回転位置が噴射許可位置であるときの図１に示すエアゾール式製品の上面図である。
【図３】図２のＩＩＩ矢視断面図である。
【図４】基部に対するキャップの回転位置が噴射禁止位置であるときの図１に示すエアゾール式製品の上面図である。
【図５】図４のＶ矢視断面図である。
【図６】基部に対するキャップの回転位置がガス抜き位置であるときの図１に示すエアゾール式製品の上面図である。
【図７】図６のＶＩＩ矢視断面図である。
【図８】図１に示すエアゾール式製品の噴射装置の基部の上面図である。
【図９】図１に示すエアゾール式製品の噴射装置のキャップの底面図である。
【図１０】本発明の第２の実施の形態に係るエアゾール式製品の側面図であって、回転規制タブの折り曲げ後の状態の図である。
【発明を実施するための形態】
【００１７】
以下、本発明の実施の形態について、図面を用いて説明する。
【００１８】
（第１の実施の形態）
まず、本実施の形態に係るエアゾール式製品の構成について説明する。
【００１９】
図１は、本実施の形態に係るエアゾール式製品１０の側面図である。
【００２０】
図１に示すように、エアゾール式製品１０は、エアゾール容器２０と、エアゾール容器２０の上部に取り付けられてエアゾール容器２０の内容物の噴射を行うための噴射装置３０とを備えている。噴射装置３０は、プラスチック製の基部４０と、基部４０に取り付けられたプラスチック製のキャップ５０とを備えている。
【００２１】
図２は、基部４０に対するキャップ５０の回転位置が噴射許可位置であるときのエアゾール式製品１０の上面図である。図３は、図２のＩＩＩ矢視断面図である。図４は、基部４０に対するキャップ５０の回転位置が噴射禁止位置であるときのエアゾール式製品１０の上面図である。図５は、図４のＶ矢視断面図である。図６は、基部４０に対するキャップ５０の回転位置がガス抜き位置であるときのエアゾール式製品１０の上面図である。図７は、図６のＶＩＩ矢視断面図である。なお、図２、図４および図６において、破線は、基部４０およびキャップ５０の構成のうち隠れている構成の一部を示している。
【００２２】
図１〜図３に示すように、基部４０は、エアゾール容器２０のマウンティングカップ２１に装着されるようになっている。基部４０は、軸線３１を中心とした回転方向である矢印３１ａおよび矢印３１ｂで示す方向にキャップ５０を回転可能に支持する支持部材を構成している。基部４０に対するキャップ５０の回転位置は、エアゾール容器２０の内容物の噴射が許可される噴射許可位置（図２および図３参照。）と、エアゾール容器２０の内容物の噴射が禁止される噴射禁止位置（図４および図５参照。）と、エアゾール容器２０のガス抜きのためのガス抜き位置（図６および図７参照。）とを含んでいる。なお、エアゾール容器２０のマウンティングカップ２１には、エアゾール容器２０の内容物が噴射されるためのステム２２が中央に形成されている。ステム２２は、軸線３１の延在方向のうち矢印３１ｃで示す方向に移動させられることによって開放されるようになっている。
【００２３】
図８は、基部４０の上面図である。
【００２４】
図１〜図３および図８に示すように、基部４０は、マウンティングカップ２１が挿入される挿入口４１ａが一端に形成されてエアゾール容器２０の肩部２３を覆う肩カバー部４１と、軸線３１を軸とした略円筒形の円筒部４２と、エアゾール容器２０のステム２２に係合してエアゾール容器２０の内容物の噴射を行うためのノズル４３と、円筒部４２およびノズル４３を繋ぐインテグラルヒンジ部４４と、押されることによってノズル４３に噴射を行わせるための噴射ボタン４５と、エアゾール容器２０の内容物の噴射を禁止するためのストッパ４６とを有している。
【００２５】
肩カバー部４１は、軸線３１を軸とした略円筒形であって、挿入口４１ａを介して圧入されるマウンティングカップ２１に内周面で係合するようになっている。また、肩カバー部４１は、挿入口４１ａ側とは反対側の端面４１ｂでキャップ５０に係合するようになっている。また、肩カバー部４１は、外周面上に溝４１ｃが１箇所のみ形成されている。溝４１ｃは、軸線３１を中心とした角度で約１００°の範囲において、軸線３１の延在方向の全範囲にわたって形成されている。溝４１ｃのうち矢印３１ａで示す方向の端の壁部４１ｄは、噴射許可位置（図２参照。）の位置決めに使用されるようになっている。また、溝４１ｃのうち矢印３１ｂで示す方向の端の壁部４１ｅは、噴射禁止位置（図４参照。）の位置決めに使用されるようになっている。
【００２６】
円筒部４２は、肩カバー部４１のうち挿入口４１ａ側とは反対側の部分に繋がっている。円筒部４２は、外周面上に環状突起部４２ａが形成されている。
【００２７】
ノズル４３は、軸線３１を軸とした略円筒形の円筒部４３ａと、軸線３１と直交する直線を軸とした略円筒形であって円筒部４３ａに繋がっている円筒部４３ｂとを有している。円筒部４３ａは、内周側にエアゾール容器２０のステム２２に係合する係合部４３ｃを有している。円筒部４３ｂは、エアゾール容器２０の内容物が噴射される噴射口４３ｄが円筒部４３ａ側とは反対側の端に形成されている。円筒部４３ａおよび円筒部４３ｂの内部には、係合部４３ｃに係合されたステム２２から噴射口４３ｄまで連通する流路４３ｅが形成されている。
【００２８】
インテグラルヒンジ部４４は、円筒部４２のうち肩カバー部４１側とは反対側の部分と、ノズル４３のうち噴射口４３ｄの近傍の部分とを繋いでいる。
【００２９】
噴射ボタン４５は、ノズル４３の円筒部４３ａに円筒部４３ｂ側とは反対側で繋がっている。噴射ボタン４５は、矢印３１ｃで示す方向とは反対方向の端に配置されていて軸線３１に直交している操作面４５ａと、操作面４５ａに繋がっている傾斜面４５ｂとが形成されている。傾斜面４５ｂは、操作面４５ａに対して矢印３１ａで示す方向に配置されていて、矢印３１ａで示す方向に存在する箇所ほど矢印３１ｃで示す方向に位置するように傾斜している。
【００３０】
ストッパ４６は、円筒部４２のうち肩カバー部４１側とは反対側の部分に繋がっている。ストッパ４６は、矢印３１ａで示す方向においてノズル４３から噴射ボタン４５までの間に配置されている。ストッパ４６は、矢印３１ｃで示す方向における位置が噴射ボタン４５の操作面４５ａと同一であって軸線３１に直交しているストッパ面４６ａが形成されている。
【００３１】
図９は、キャップ５０の底面図である。
【００３２】
図１〜図３および図９に示すように、キャップ５０は、基部４０の円筒部４２が挿入される挿入口５１ａが一端に形成されていて軸線３１を軸とした略円筒形である円筒部５１と、円筒部５１のうち挿入口５１ａ側とは反対側に繋がっている天井部５２と、基部４０に対するキャップ５０の回転位置が噴射許可位置（図２および図３参照。）のときに押されることによって基部４０の噴射ボタン４５を押すキャップ側ボタン５３と、天井部５２およびキャップ側ボタン５３を繋ぐインテグラルヒンジ部５４と、基部４０に対するキャップ５０の回転位置がガス抜き位置（図６および図７参照。）のときに基部４０の噴射ボタン４５を押し続けるガス抜き部材としてのガス抜きタブ５５と、基部４０に対するキャップ５０の回転の規制を行う回転規制部材としての回転規制タブ５６とを有している。キャップ５０は、基部４０の円筒部４２、ノズル４３、インテグラルヒンジ部４４、噴射ボタン４５およびストッパ４６を覆うようになっている。
【００３３】
円筒部５１は、壁部５１ｂと、内周面上に設けられた環状突起部５１ｃと、基部４０に対するキャップ５０の回転位置が噴射許可位置（図２および図３参照。）のときにノズル４３の噴射口４３ｄに対向して噴射口４３ｄを外部に露出させる噴射口用窓５１ｄとを有している。なお、壁部５１ｂは、基部４０に対するキャップ５０の回転位置がガス抜き位置（図６および図７参照。）のときにノズル４３の噴射口４３ｄに対向するようになっており、噴射口対向壁部を構成している。また、円筒部５１は、基部４０の肩カバー部４１の端面４１ｂに係合する端面５１ｅが形成されている。ここで、キャップ５０は、円筒部５１の挿入口５１ａを介して円筒部５１内に基部４０の円筒部４２が挿入され、円筒部５１の環状突起部５１ｃが円筒部４２の環状突起部４２ａとすれ違うときに円筒部５１の径が一時的に拡がることによって、図３に示す状態で基部４０に取り付けられる。キャップ５０は、環状突起部５１ｃで基部４０の円筒部４２の環状突起部４２ａに係合するとともに、円筒部５１の端面５１ｅで基部４０の肩カバー部４１の端面４１ｂに係合することによって、矢印３１ａおよび矢印３１ｂで示す方向に回転可能に基部４０に支持されている。
【００３４】
キャップ側ボタン５３は、天井部５２の中央から少しずれた位置に配置されている。キャップ側ボタン５３は、強度を増すために周縁に設けられた補強リブ５３ａと、基部４０の噴射ボタン４５を押すために設けられたリブ５３ｂとを有している。補強リブ５３ａは、矢印３１ｃで示す方向に突起している。リブ５３ｂは、キャップ側ボタン５３のうちインテグラルヒンジ部５４側とは反対側の部分に設けられており、矢印３１ｃで示す方向に突起している。
【００３５】
ガス抜きタブ５５は、天井部５２に設けられており、矢印３１ｃで示す方向に突起している。ガス抜きタブ５５の位置は、軸線３１を中心とした角度において、リブ５３ｂに対して矢印３１ａで示す方向に約１３０°ずれている。ガス抜きタブ５５は、基部４０の噴射ボタン４５の操作面４５ａに接触するための接触面５５ａと、接触面５５ａに繋がっている傾斜面５５ｂとが形成されている。接触面５５ａは、ガス抜きタブ５５において矢印３１ｃで示す方向の端に配置されていて軸線３１に直交している。傾斜面５５ｂは、接触面５５ａに対して矢印３１ｂで示す方向に配置されていて、矢印３１ａで示す方向に存在する箇所ほど矢印３１ｃで示す方向に位置するように傾斜している。
【００３６】
回転規制タブ５６は、基部４０の肩カバー部４１の溝４１ｃ内に配置されている。回転規制タブ５６の位置は、軸線３１を中心とした角度において、ガス抜きタブ５５に対して約１８０°ずれている。回転規制タブ５６は、基部４０の肩カバー部４１の溝４１ｃの壁部４１ｄに係合することによって、基部４０に対するキャップ５０の回転位置を噴射許可位置（図２参照。）に位置決めするようになっている。回転規制タブ５６は、基部４０の肩カバー部４１の溝４１ｃの壁部４１ｅに係合することによって、基部４０に対するキャップ５０の回転位置を噴射禁止位置（図４参照。）に位置決めするようになっている。回転規制タブ５６は、基部４０の肩カバー部４１の溝４１ｃの壁部４１ｄまたは壁部４１ｅに係合することで基部４０に対するキャップ５０の回転の規制を行うことによって、基部４０に対するキャップ５０の回転位置がガス抜き位置（図６参照。）になることを妨げている。なお、回転規制タブ５６は、円筒部５１に繋がっている薄肉部５６ａを有しており、薄肉部５６ａの部分で利用者によって引きちぎられることが可能である。すなわち、回転規制タブ５６は、基部４０に対するキャップ５０の回転の規制が解除される状態になるように円筒部５１に切り離し可能に設けられている。
【００３７】
次に、エアゾール式製品１０の機能について説明する。
【００３８】
（噴射許可時）
まず、基部４０に対するキャップ５０の回転位置が噴射許可位置でない場合、エアゾール式製品１０は、利用者によって基部４０に対してキャップ５０が回転させられることによって、図２および図３に示すように基部４０に対するキャップ５０の回転位置が噴射許可位置にされる。なお、キャップ５０の回転規制タブ５６は、図２において基部４０の溝４１ｃの壁部４１ｄに接触していないが、利用者によって基部４０に対してキャップ５０が矢印３１ａで示す方向に回転させられる場合に、基部４０の溝４１ｃの壁部４１ｄに接触して基部４０に対するキャップ５０の回転を止めることによって、基部４０に対する回転位置を噴射許可位置に位置決めすることができる。
【００３９】
次いで、図２および図３に示すように基部４０に対するキャップ５０の回転位置が噴射許可位置であるとき、エアゾール式製品１０は、利用者によってキャップ側ボタン５３が矢印３１ｃで示す方向に押し下げられると、キャップ側ボタン５３のリブ５３ｂが噴射ボタン４５の操作面４５ａを矢印３１ｃで示す方向に押し下げる。すると、噴射ボタン４５と繋がっているノズル４３がエアゾール容器２０のステム２２を矢印３１ｃで示す方向に押し下げてステム２２を開放する。これによって、エアゾール容器２０の内容物は、ステム２２、ノズル４３および噴射口用窓５１ｄを介してエアゾール式製品１０の外部に噴射される。
【００４０】
（噴射禁止時）
まず、基部４０に対するキャップ５０の回転位置が噴射禁止位置でない場合、エアゾール式製品１０は、利用者によって基部４０に対してキャップ５０が回転させられることによって、図４および図５に示すように基部４０に対するキャップ５０の回転位置が噴射禁止位置にされる。なお、キャップ５０の回転規制タブ５６は、図４において基部４０の溝４１ｃの壁部４１ｅに接触していないが、利用者によって基部４０に対してキャップ５０が矢印３１ｂで示す方向に回転させられる場合に、基部４０の溝４１ｃの壁部４１ｅに接触して基部４０に対するキャップ５０の回転を止めることによって、基部４０に対する回転位置を噴射禁止位置に位置決めすることができる。
【００４１】
次いで、図４および図５に示すように基部４０に対するキャップ５０の回転位置が噴射禁止位置であるとき、エアゾール式製品１０は、利用者によってキャップ側ボタン５３が矢印３１ｃで示す方向に押し下げられると、キャップ側ボタン５３のリブ５３ｂがストッパ４６のストッパ面４６ａに接触してキャップ側ボタン５３の押し下げが防止される。これによって、噴射ボタン４５の操作面４５ａが矢印３１ｃで示す方向に押し下げられることが防止される。すなわち、エアゾール容器２０の内容物は、エアゾール式製品１０の外部に噴射されない。
【００４２】
したがって、エアゾール式製品１０は、エアゾール容器２０の内容物が利用者の意図に反して噴射されてしまうということを防止することができる。
【００４３】
（ガス抜き時）
まず、回転規制タブ５６がキャップ５０から切り離されていない場合、回転規制タブ５６は、基部４０の肩カバー部４１の溝４１ｃの壁部４１ｄまたは壁部４１ｅに係合することで基部４０に対するキャップ５０の回転の規制を行うことによって、基部４０に対するキャップ５０の回転位置がガス抜き位置になることを妨げている。したがって、回転規制タブ５６がキャップ５０から切り離される必要がある。エアゾール式製品１０は、利用者によって回転規制タブ５６が薄肉部５６ａの部分で引きちぎられることによって回転規制タブ５６がキャップ５０から切り離され、基部４０に対するキャップ５０の回転の規制が解除される。
【００４４】
次いで、基部４０に対するキャップ５０の回転位置がガス抜き位置でない場合、エアゾール式製品１０は、利用者によって基部４０に対してキャップ５０が矢印３１ｂで示す方向に回転させられる。すると、ガス抜きタブ５５は、傾斜面５５ｂで噴射ボタン４５の傾斜面４５ｂに接触した後、徐々に噴射ボタン４５を矢印３１ｃで示す方向に押し下げる。そして、エアゾール式製品１０は、図６および図７に示すように基部４０に対するキャップ５０の回転位置がガス抜き位置にされているとき、ガス抜きタブ５５が接触面５５ａで噴射ボタン４５の操作面４５ａに接触しているので、噴射ボタン４５が矢印３１ｃで示す方向に完全に押し下げられている。
【００４５】
したがって、エアゾール式製品１０は、図６および図７に示すように基部４０に対するキャップ５０の回転位置がガス抜き位置であるとき、噴射ボタン４５と繋がっているノズル４３がエアゾール容器２０のステム２２を矢印３１ｃで示す方向に押し下げてステム２２を開放している。これによって、エアゾール容器２０内のガスは、ステム２２およびノズル４３を介して噴射され続ける。ここで、ノズル４３の噴射口４３ｄには円筒部５１の壁部５１ｂが対向しているので、ノズル４３の噴射口４３ｄから噴射されたガスは、壁部５１ｂに当たって、エアゾール容器２０のマウンティングカップ２１と噴射装置３０とで囲まれた空間内に拡散し、キャップ５０の天井部５２とキャップ側ボタン５３との隙間やキャップ５０の噴射口用窓５１ｄを通ってエアゾール式製品１０の外部に流れ出る。
【００４６】
以上に説明したように、噴射装置３０は、基部４０に対するキャップ５０の回転位置がガス抜き位置になるためには、回転規制タブ５６が切り離されなければならない。したがって、噴射装置３０は、利用者の誤操作により利用者が意図していないガス抜きが行われることを防止することができる。
【００４７】
噴射装置３０は、基部４０に対するキャップ５０の回転位置がガス抜き位置にされた後も、利用者によって基部４０に対してキャップ５０が矢印３１ａで示す方向に回転させられることによって、エアゾール容器２０のガス抜きを中止することができる。例えば、利用者がエアゾール容器２０の内容物を使い切ったと判断してエアゾール容器２０の廃棄のためにエアゾール容器２０のガス抜きを開始したが、利用者が想像していた以上にエアゾール容器２０の内容物が残っていた場合に、利用者がエアゾール容器２０のガス抜きの中止を希望することが考えられる。また、利用者がエアゾール容器２０のガス抜きを開始したが、エアゾール容器２０から噴射されたガスに引火する可能性があるタバコの火などの火気が周囲で発生した場合に、利用者が安全のためにエアゾール容器２０のガス抜きの中止を希望することが考えられる。また、利用者がエアゾール容器２０のガス抜きを開始したが、電話がかかってきたりしてガス抜きを看視し続けることができなくなった場合に、利用者が安全のためにエアゾール容器２０のガス抜きの中止を希望することが考えられる。
【００４８】
上述したように、噴射装置３０の回転規制タブ５６は、基部４０に対するキャップ５０の回転位置がガス抜き位置になることを許可する機能に加えて、基部４０に対するキャップ５０の回転位置が噴射許可位置および噴射禁止位置に切り替えられる際の位置決めの機能も有する。したがって、噴射装置３０は、これらの機能を別々の部材で実現する場合と比較して、構成を簡略化することができる。
【００４９】
また、噴射装置３０は、エアゾール容器２０のガス抜きの際に、ノズル４３の噴射口４３ｄに壁部５１ｂが対向するので、ノズル４３の噴射口４３ｄから噴射されるガスがキャップ５０の壁部５１ｂに当たって拡散する。したがって、噴射装置３０は、エアゾール容器２０のガス抜きの際にガスが噴射装置３０外に強い勢いで噴射されることを防止することができる。ガス抜きは、主にエアゾール式製品１０の廃棄時に行われるので、ガスが特定の方向に強い勢いで噴射される必要性が乏しい。噴射装置３０は、ガス抜きの際にガスが拡散されるようになっており、例えばガスが利用者に強い勢いで直接当たることを防止することができる。
【００５０】
なお、基部４０に対するキャップ５０の回転の規制を行う回転規制部材は、回転規制タブ５６としてキャップ５０に設けられているが、キャップ５０ではなく基部４０に設けられていても良いし、基部４０およびキャップ５０の両方に設けられていても良い。
【００５１】
（第２の実施の形態）
まず、本実施の形態に係るエアゾール式製品の構成について説明する。なお、本実施の形態に係るエアゾール式製品の構成のうち第１の実施の形態に係るエアゾール式製品１０（図１参照。）の構成と同様な構成については、エアゾール式製品１０の構成と同一の符号を付して詳細な説明を省略する。
【００５２】
図１０は、本実施の形態に係るエアゾール式製品１１０の側面図であって、回転規制タブ１５６の折り曲げ後の状態の図である。
【００５３】
図１０に示すように、エアゾール式製品１１０の構成は、エアゾール式製品１０（図１参照。）が噴射装置３０（図１参照。）に代えて噴射装置１３０を備えた構成と同様である。噴射装置１３０の構成は、噴射装置３０がキャップ５０（図１参照。）に代えてキャップ１５０を備えた構成と同様である。キャップ１５０の構成は、キャップ５０が回転規制タブ５６（図１参照。）に代えて回転規制タブ１５６を備えた構成と同様である。回転規制タブ１５６の構成は、円筒部５１に連結している連結部１５６ａを回転規制タブ５６が薄肉部５６ａ（図１参照。）に代えて備えた構成と同様である。
【００５４】
回転規制タブ１５６は、図１０に示すように連結部１５６ａの部分で利用者によって折り曲げられることが可能である。すなわち、回転規制タブ１５６は、基部４０に対するキャップ１５０の回転の規制が解除される状態になるように円筒部５１に折り曲げ可能に設けられている。
【００５５】
次に、エアゾール式製品１１０の機能について説明する。
【００５６】
エアゾール式製品１１０は、回転規制タブ１５６が図１０に示すように折り曲げられる前に、第１の実施の形態に係るエアゾール式製品１０の図１に示す状態と同様の状態であるので、第１の実施の形態に係るエアゾール式製品１０の噴射許可時や噴射禁止時の機能と同様の機能を発揮することができる。
【００５７】
ここで、回転規制タブ１５６は、図１０に示すように連結部１５６ａの部分で利用者によって折り曲げられることによって、基部４０の肩カバー部４１の溝４１ｃの壁部４１ｄまたは壁部４１ｅに係合しない状態、すなわち、基部４０に対するキャップ１５０の回転の規制が解除される状態に変形させられる。したがって、エアゾール式製品１１０は、基部４０に対するキャップ１５０の回転位置がガス抜き位置になることができるので、第１の実施の形態に係るエアゾール式製品１０のガス抜き時の機能と同様の機能を発揮することができる。
【００５８】
このように、本発明のエアゾール式製品は、第１の実施の形態において説明した切り離しや、本実施の形態において説明した折り曲げなどのような回転規制部材の変形態様の種類にかかわらず、支持部材に対するキャップの回転の規制が解除される状態へ変形可能に回転規制部材が設けられていれば良い。
【符号の説明】
【００５９】
１０  エアゾール式製品
２０  エアゾール容器
３０  噴射装置
４０  基部（支持部材）
４３  ノズル
４３ｄ  噴射口
４５  噴射ボタン
５０  キャップ
５１ｂ  壁部（噴射口対向壁部）
５３  キャップ側ボタン
５５  ガス抜きタブ（ガス抜き部材）
５６  回転規制タブ（回転規制部材）
１１０  エアゾール式製品
１３０  噴射装置
１５０  キャップ
１５６  回転規制タブ（回転規制部材）
【図１】
2010189024.tif 000003
【図２】
2010189024.tif 000004
【図３】
2010189024.tif 000005
【図４】
2010189024.tif 000006
【図５】
2010189024.tif 000007
【図６】
2010189024.tif 000008
【図７】
2010189024.tif 000009
【図８】
2010189024.tif 000010
【図９】
2010189024.tif 000011
【図１０】
2010189024.tif 000012